(57)【特許請求の範囲】
【請求項１】
歯磨き時に手に握られる胴体部と、
歯磨き時に口腔内に挿入され、その先端にブラシを有する口腔内挿入部であって、その先端から胴体部側に向かうにつれてブラシの背面側に向かって傾斜するように構成され、かつその先端部は前記胴体部における長手方向に垂直な断面形状の図心を結んでできる仮想線の延長線上付近に位置する口腔内挿入部と、
前記胴体部の先端からブラシ側に向かうにつれてブラシの背面側に向かって傾斜するように構成され、かつ該胴体部と前記口腔内挿入部とを接続する接続部と、
前記口腔内挿入部の内部に設けられる偏心軸と、
前記接続部の内部に設けられ、前記偏心軸を回転させるモータと、を備え、
前記モータにより前記偏心軸が回転することにより、前記ブラシが振動する電動歯ブラシであって、
前記モータの回転軸と前記偏心軸が、可撓性を有するロッドによって連結されていることを特徴とする電動歯ブラシ。
【請求項２】
歯磨き時に手に握られる胴体部と、
歯磨き時に口腔内に挿入され、その先端にブラシを有する口腔内挿入部であって、その先端から胴体部側に向かうにつれてブラシの背面側に向かって傾斜するように構成され、かつその先端部は前記胴体部における長手方向に垂直な断面形状の図心を結んでできる仮想線の延長線上付近に位置する口腔内挿入部と、
前記胴体部の先端からブラシ側に向かうにつれてブラシの背面側に向かって傾斜するように構成され、かつ該胴体部と前記口腔内挿入部とを接続する接続部と、
前記口腔内挿入部の内部に設けられる偏心軸と、
前記接続部の内部に設けられ、前記偏心軸を回転させるモータと、を備え、
前記モータにより前記偏心軸が回転することにより、前記ブラシが振動する電動歯ブラシであって、
前記偏心軸自体が可撓性を有することを特徴とする電動歯ブラシ。
【請求項３】
前記接続部におけるブラシ側の面の少なくとも一部を含む領域に、表示情報が変化する表示部が設けられていることを特徴とする請求項１または２に記載の電動歯ブラシ。
【請求項４】
前記胴体部から接続部に亘る領域に、電動歯ブラシの動作を操作する複数のボタンを有する操作部が設けられており、
それぞれ異なる操作を行うボタンが前記胴体部と接続部に分かれて配置されていることを特徴とする請求項１，２または３に記載の電動歯ブラシ。
【請求項５】
歯磨き時に手に握られる胴体部と、
歯磨き時に口腔内に挿入され、その先端にブラシを有する口腔内挿入部であって、その先端から胴体部側に向かうにつれてブラシの背面側に向かって傾斜するように構成され、かつその先端部は前記胴体部における長手方向に垂直な断面形状の図心を結んでできる仮想線の延長線上付近に位置する口腔内挿入部と、
前記胴体部の先端からブラシ側に向かうにつれてブラシの背面側に向かって傾斜するように構成され、かつ該胴体部と前記口腔内挿入部とを接続する接続部と、を備える電動歯ブラシであって、
前記胴体部から接続部に亘る領域に、電動歯ブラシの動作を操作する複数のボタンを有する操作部が設けられており、
それぞれ異なる操作を行うボタンが前記胴体部と接続部に分かれて配置されていることを特徴とする電動歯ブラシ。
【発明の詳細な説明】
【技術分野】
【０００１】
本発明は、電動歯ブラシに関するものである。
【背景技術】
【０００２】
従来、電動により駆動される電動歯ブラシが知られている（特許文献１，２参照）。電動歯ブラシの場合、駆動源などの各種部品を内蔵することから、一般的に、普通の歯ブラシに比べて大型化する。すなわち、手で持つ部分が普通の歯ブラシに比べて長くなったり太くなったりするように構成される。そのため、普通の歯ブラシの場合に比べて、歯磨き時における手で握った部分から口の辺りまでの距離が長くなる。従って、電動歯ブラシを用いて歯を磨く場合には、普通の歯ブラシで歯を磨く場合と比べて、歯の全体を磨く間の腕の運動領域が広くなるのが一般的である。また、普通の歯ブラシの場合に比べて、歯磨き時において電動歯ブラシの胴体部をしっかりと握る必要がある。
【０００３】
このように、電動歯ブラシは、普通の歯ブラシに比べて大型化するため、奥歯を磨く場合、特に奥歯の頬側の面を磨く場合に、肘を高く上げた状態でかつ胴体部をしっかり握った状態で歯を磨く必要が生じ、無理な姿勢になってしまう傾向がある。また、これに伴い、磨き残しが生じてしまい易いという問題もある。特に、ブラシを奥歯に当てた際に、ブラシ先端面と歯の並ぶ面が平行にならずにずれてしまい、ユーザは奥歯全体にブラシが適切に当っているような感覚がありながら、実際にはブラシが適切に当っていない箇所が生じて磨き残しが生じてしまうことがある。
【特許文献１】特開平１０−１９２０５４号公報
【特許文献２】特表２００７−５０３２６９号公報
【発明の開示】
【発明が解決しようとする課題】
【０００４】
本発明の目的は、無理のない姿勢で歯を磨くことができ、かつ磨き残しを減らすことのできる電動歯ブラシを提供することにある。
【課題を解決するための手段】
【０００５】
本発明は、上記課題を解決するために以下の手段を採用した。
【０００６】
すなわち、本発明の電動歯ブラシは、
歯磨き時に手に握られる胴体部と、
歯磨き時に口腔内に挿入され、その先端にブラシを有する口腔内挿入部であって、その先端から胴体部側に向かうにつれてブラシの背面側に向かって傾斜するように構成され、かつその先端部は前記胴体部における長手方向に垂直な断面形状の図心を結んでできる仮想線の延長線上付近に位置する口腔内挿入部と、
前記胴体部の先端からブラシ側に向かうにつれてブラシの背面側に向かって傾斜するように構成され、かつ該胴体部と前記口腔内挿入部とを接続する接続部と、
前記口腔内挿入部の内部に設けられる偏心軸と、
前記接続部の内部に設けられ、前記偏心軸を回転させるモータと、を備え、
前記モータにより前記偏心軸が回転することにより、前記ブラシが振動する電動歯ブラシであって、
前記モータの回転軸と前記偏心軸が、可撓性を有するロッドによって連結されていることを特徴とする。
また、本発明の他の電動歯ブラシは、
歯磨き時に手に握られる胴体部と、
歯磨き時に口腔内に挿入され、その先端にブラシを有する口腔内挿入部であって、その先端から胴体部側に向かうにつれてブラシの背面側に向かって傾斜するように構成され、かつその先端部は前記胴体部における長手方向に垂直な断面形状の図心を結んでできる仮想線の延長線上付近に位置する口腔内挿入部と、
前記胴体部の先端からブラシ側に向かうにつれてブラシの背面側に向かって傾斜するように構成され、かつ該胴体部と前記口腔内挿入部とを接続する接続部と、
前記口腔内挿入部の内部に設けられる偏心軸と、
前記接続部の内部に設けられ、前記偏心軸を回転させるモータと、を備え、
前記モータにより前記偏心軸が回転することにより、前記ブラシが振動する電動歯ブラシであって、
前記偏心軸自体が可撓性を有することを特徴とする。
【０００７】
本発明の電動歯ブラシによれば、歯磨き時に口腔内に挿入される口腔内挿入部が、先端から胴体部側に向かうにつれてブラシの背面側に向かって傾斜するように構成され、かつその先端部は前記胴体部における長手方向に垂直な断面形状の図心を結んでできる仮想線の延長線上付近に位置するように構成されている。そのため、胴体部と口腔内挿入部が真直ぐになるように構成された一般的な電動歯ブラシに比べて、特に磨き残しの生じ易い奥歯を磨く際の腕の運動領域が狭くなる。つまり、本発明の電動歯ブラシの場合には、奥歯を磨く際に、胴体部の移動領域は、口の正面前方の付近に集中する。そのため、肘を高く上げるなどの必要がなく、腕の運動領域が狭くて済む。従って、無理のない姿勢で歯磨き
を行うことができる。また、ブラシを奥歯に当てた際に、無理のない姿勢で、ブラシを奥歯全体に適切に当てることができる。これにより磨き残しを減らすことができる。
【００１２】
また、接続部の内部にモータが設けられているので、モータの回転軸から偏心軸までの曲折（湾曲）した箇所を減らすことができ、駆動力の伝達効率の低下を抑制できる。
【００１４】
前記モータの回転軸と前記偏心軸が、可撓性を有するロッドによって連結されていると、可撓性を有するロッドの長さを短くすることができ、駆動力の伝達効率を高めることができる。
【００１６】
また、前記偏心軸自体が可撓性を有すると、少ない部品点数で、駆動力を伝達させることができる。
【００１７】
前記接続部におけるブラシ側の面の少なくとも一部を含む領域に、表示情報が変化する表示部が設けられているとよい。
【００１８】
これにより、歯磨き中においても、表示部が視認可能となる。
【００１９】
前記胴体部から接続部に亘る領域に、電動歯ブラシの動作を操作する複数のボタンを有する操作部が設けられており、
それぞれ異なる操作を行うボタンが前記胴体部と接続部に分かれて配置されているとよい。
【００２０】
こうすることで、ユーザは操作するボタンを区別し易くなる。例えば、接続部側に電源を入れるためのボタンを配し、胴体部側に電源を切るためのボタンを配することで、電源をオン又はオフする際の操作をより簡単に行うことができる。
【００２１】
なお、上記各構成は、可能な限り組み合わせて採用し得る。
【発明の効果】
【００２２】
以上説明したように、本発明によれば、歯を磨く際に、無理のない姿勢で歯を磨くことができ、かつ磨き残しを減らすことができる。
【発明を実施するための最良の形態】
【００２３】
以下に図面を参照して、この発明を実施するための最良の形態を、実施例に基づいて例
示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２４】
（実施例１）
図１〜図１５を参照して、本発明の実施例１に係る電動歯ブラシについて説明する。
【００２５】
＜電動歯ブラシの外観構成＞
図１〜図４を参照して、本発明の実施例１に係る電動歯ブラシの外観構成について説明する。図１は本発明の実施例１に係る電動歯ブラシの正面図である。図２は本発明の実施例１に係る電動歯ブラシの側面図である。図３は本発明の実施例１に係る電動歯ブラシの正面側から見た斜視図である。図４は本発明の実施例１に係る電動歯ブラシの背面側から見た斜視図である。
【００２６】
本実施例に係る電動歯ブラシ１００は、内部に駆動源を備えるケース１０と、ケース１０に対して着脱自在に設けられるブラシ部品２０とを備えている。
【００２７】
ブラシ部品２０は歯磨き時に口腔内に挿入される部分であり、口腔内挿入部に相当する。また、ブラシ部品２０の先端には、ブラシ２１が設けられている。
【００２８】
ケース１０は、略円筒状の部分と、この略円筒状の先端部分１６から折れ曲がって設けられた曲折部分とを備えている。そして、ケース１０のうち略円筒状の部分は、歯磨き時に手で握られる部分である。以下、この略円筒状の歯磨き時に手で握られる部分を胴体部１１と称する。また、ケース１０のうち曲折部分は、胴体部１１と口腔内挿入部であるブラシ部品２０とを接続する部分である。以下、この曲折部分を接続部１２と称する。
【００２９】
この接続部１２におけるブラシ２１側の面の一部を含む領域に、表示部１３が設けられている。この表示部１３によって表示する情報は、充電中、歯磨き毎、あるいは歯磨き中に変化し得る情報である。表示する情報の例として、ブラシ２１の駆動（本実施例の場合には、後述するように振動）態様が複数選択できるタイプの場合における選択モードや、電池残量や、歯磨き経過時間や、最適なブラシ角の実現状態を挙げることができる。
【００３０】
また、本実施例においては、表示部１３に隣接して、電源のオンオフを行うスイッチや各種モードの変更など、各種の設定を行うためのボタン群からなる操作部１４が設けられている。本実施例においては、操作部１４には、電源を入れるためのオンスイッチボタン１４ａと電源を切るためのオフスイッチボタン１４ｂが設けられている。そして、オンスイッチボタン１４ａは、接続部１２におけるブラシ２１側の面に設けられている。また、オフスイッチボタン１４ｂは、胴体部１１におけるブラシ２１側の面に設けられている。
【００３１】
そして、本実施例に係る電動歯ブラシ１００においては、上記の通り、胴体部１１は略円筒状であり、胴体部１１における長手方向に垂直な断面形状の図心を結んでできる仮想線は略直線となる。図２中、一点鎖線Ｔ１は、当該仮想線及びその延長線を含む線である。なお、接続部１２も略円筒状であり、接続部１２における長手方向に垂直な断面形状の図心を結んでできる仮想線も略直線となる。図２中、一点鎖線Ｔ３は、当該仮想線及びその延長線を含む線である。
【００３２】
また、口腔内挿入部であるブラシ部品２０のうちブラシ２１を除く部分の形状は略円錐台である。この部分における長手方向に垂直な断面形状の図心を結んでできる仮想線も略直線となる。図２中、一点鎖線Ｔ２は、当該仮想線及びその延長線を含む線である。
【００３３】
以上の一点鎖線Ｔ１，Ｔ２，Ｔ３の関係から分かるように、まず、ブラシ部品２０は、先端から胴体部１１側に向かうにつれてブラシ２１の背面側に向かって傾斜するように構成されている。なお、本実施例においては、ブラシ部品２０は、その後端が胴体部１１よりも背面側に突出する位置まで伸びるように構成されている。また、ブラシ部品２０の先端部は、胴体部１１における長手方向に垂直な断面形状の図心を結んでできる仮想線の延長線（一点鎖線Ｔ１）上付近に位置する。
【００３４】
また、接続部１２は、胴体部１１の先端からブラシ２１側に向かうにつれてブラシ２１の背面側に向かって傾斜するように構成される。
【００３５】
＜電動歯ブラシの内部構成＞
図５を参照して、本発明の実施例１に係る電動歯ブラシの内部構成について説明する。図５は本発明の実施例１に係る電動歯ブラシの内部の主要構成を示す概略図（透視図）である。
【００３６】
ケース１０の内部には、電池（充電池）３１と、駆動源となるモータ３２と、各種電子部品や配線を具備する回路基板３３，３４が収納されている。ここで、電池３１は胴体部１１の内部に設けられ、モータ３２は接続部１２の内部に設けられている。
【００３７】
また、ケース１０の先端側には、一端側がケース１０の内部で支持され、他端側がケース１０の先端の開口部から突き出るように設けられたステム１５が備えられている。上記のブラシ部品２０は、このステム１５を覆うように装着される。
【００３８】
また、ケース１０の先端側には、重心が軸心からずれた位置にある錘３６を有する偏心軸３５が設けられている。この偏心軸３５は、ステム１５の内部、つまり、口腔内挿入部であるブラシ部品２０の内部に設けられる。また、偏心軸３５に設けられた錘３６は、ブラシ２１の近傍に位置するように設けられている。
【００３９】
そして、モータ３２の回転軸と、この偏心軸３５は、可撓性を有するロッド（以下、フレキシブルロッド３７と称する）によって連結されている。なお、フレキシブルロッド３７と偏心軸３５は接続端子３８によって接続されている。また、偏心軸３５における錘３６側の端部は、ステム１５の先端に設けられた軸受によって支持されている。
【００４０】
以上のように構成された電動歯ブラシ１００の動作について説明する。操作部１４に設けられたスイッチにより電源をオンにすると、モータ３２の回転軸が回転し、この回転軸に固定されたフレキシブルロッド３７を介して偏心軸３５が回転する。上記の通り、偏心軸３５には、その重心が軸心からずれた位置に設けられた錘３６が設けられている。そのため、仮に、偏心軸３５の先端を軸受によって支持させていない状態で偏心軸３５を回転させると、偏心軸３５は、偏心軸３５自体が回転しながら、軸心の回りを旋回するように運動する。これにより、ステム１５の先端の軸受によって偏心軸３５を支持させた状態で偏心軸３５を回転させると、偏心軸３５の先端付近の外壁面が軸受の内壁面に対して短時間に多数回の衝突を繰り返すような動作を行わせることができる。
【００４１】
このような動作を行わせることで、ステム１５を振動させることができる。そして、このステム１５を振動させることにより、その振動をステム１５に固定されたブラシ部品２０に伝えることができる。従って、ブラシ部品２０の振動により、ブラシ２１が振動するため、ブラシ２１を歯に当てることで歯を磨くことができる。
【００４２】
＜本実施例の優れた点＞
以上のように、本実施例に係る電動歯ブラシ１００においては、歯磨き時に口腔内に挿
入される口腔内挿入部であるブラシ部品２０が、先端から胴体部１１側に向かうにつれてブラシ２１の背面側に向かって傾斜するように構成され、かつその先端部は胴体部１１における長手方向に垂直な断面形状の図心を結んでできる仮想線の延長線（一点鎖線Ｔ１）上付近に位置するように構成されている。
【００４３】
従って、本実施例に係る電動歯ブラシ１００によれば、胴体部と口腔内挿入部が真直ぐになるように構成された一般的な電動歯ブラシに比べて、無理のない姿勢で歯を磨くことができ、かつ磨き残しを減らすことができる。この点について、図６〜図１５を参照して、更に詳しく説明する。
【００４４】
図６及び図７はブラシ面を奥歯（図６は左奥歯、図７は右奥歯）に当てた際（適切に当てた際）における本発明の実施例１に係る電動歯ブラシと比較例に係る電動歯ブラシの位置を比較した図である。なお、比較例に係る電動歯ブラシ２００は、胴体部と口腔内挿入部が真直ぐになるように構成された一般的な電動歯ブラシである。
【００４５】
図６及び図７中、Ｈは歯の模型である。これら図６及び図７から分かるように、ブラシ面を奥歯に当てると、本実施例に係る電動歯ブラシ１００の場合の方が、比較例に係る電動歯ブラシ２００の場合に比べて、胴体部１１は、内側（口の正面前方の付近）に位置する（図６中矢印Ａ，図７中矢印Ｂ参照）。
【００４６】
図８〜図１１は本発明の実施例１に係る電動歯ブラシを用いて歯を磨いている様子を示す概略図である。なお、いずれの図も右手で電動歯ブラシ１００を持って歯を磨いている様子を示している。そして、図８は左奥歯を磨いている際のユーザを斜め上方から見た図であり、図９は左奥歯を磨いている際のユーザを正面から見た図であり、図１０は右奥歯を磨いている際のユーザを斜め上方から見た図であり、図１１は右奥歯を磨いている際のユーザを正面から見た図である。
【００４７】
これらの図から分かるように、本発明の実施例１に係る電動歯ブラシ１００を用いて歯を磨く場合、特に、磨き残しの生じ易い奥歯を磨くときでも、肘を高く上げることなく、無理のない姿勢で歯を磨くことが可能となる（特に、図９及び図１１中の矢印Ｘ参照）。
【００４８】
これに対して、図１２〜図１５には比較例に係る電動歯ブラシ２００を用いて歯を磨いている場合を示している。図１２〜図１５は比較例に係る電動歯ブラシを用いて歯を磨いている様子を示す概略図である。なお、いずれの図も右手で電動歯ブラシ２００を持って歯を磨いている様子を示している。そして、図１２は左奥歯を磨いている際のユーザを斜め上方から見た図であり、図１３は左奥歯を磨いている際のユーザを正面から見た図であり、図１４は右奥歯を磨いている際のユーザを斜め上方から見た図であり、図１５は右奥歯を磨いている際のユーザを正面から見た図である。
【００４９】
これらの図から分かるように、比較例に係る電動歯ブラシ２００を用いて歯を磨く場合、特に、磨き残しの生じ易い奥歯を磨くとき、肘を高く上げた姿勢で歯を磨くことになる（特に図１３及び図１５の矢印Ｙ参照）。従って、奥歯を磨く際に、無理な姿勢になってしまうことがある。
【００５０】
そして、比較例に係る電動歯ブラシ２００の場合、図６及び図７に示すような位置で電動歯ブラシ２００を持った状態で歯を磨けば、ブラシは適切に奥歯に当るので問題はない。しかしながら、図６及び図７に示すような状態で電動歯ブラシ２００を持つ場合、上記の通り、肘を高く上げて無理な姿勢になってしまう。そのため、実際には、図６及び図７に示す位置に電動歯ブラシ２００が持たれていない状態で奥歯が磨かれる可能性が高い。すなわち、比較例に係る電動歯ブラシ２００の場合でも、その胴体部を内側（口の正面前
方の付近）に位置するようにブラシを奥歯に押し当てることは可能である。この場合でも、ユーザは奥歯全体にブラシが適切に当っているような感覚が得られる。しかしながら、この場合には、ブラシ先端面と歯の並ぶ面がずれてしまう（平行ではなくなる）。従って、ブラシ先端が歯に全く当っていない箇所が生じたり、ブラシ先端が折れ曲がってブラシの途中（腹）の部分が歯に当ってしまったりしてしまう。これにより、磨き残しが生じてしまう。
【００５１】
これに対して、本実施例に係る電動歯ブラシ１００の場合には、無理のない、普通の姿勢でブラシ２１を奥歯に当てると、ブラシ先端面と歯の並ぶ面が略平行になり、奥歯全体にブラシを適切に当てることができる。従って、磨き残しを減らすことができる。
【００５２】
また、本実施例に係る電動歯ブラシ１００においては、偏心軸３５を利用してブラシ２１を振動させるタイプのものでありながら、上記の通り、胴体部１１と口腔内挿入部であるブラシ部品２０が真直ぐになるように構成されていない。すなわち、本実施例に係る電動歯ブラシ１００の場合には、胴体部１１と接続部１２との間、及び接続部１２と口腔内挿入部であるブラシ部品２０との間の２箇所で屈折する構成を採用している。このような構成を採用することは、駆動機構や駆動力の伝達効率の面においてはマイナス要因となる。
【００５３】
しかしながら、本実施例１に係る電動歯ブラシ１００においては、駆動源となるモータ３２を、接続部１２の内部に設ける構成を採用している。これにより、駆動源であるモータ３２から偏心軸３５に至るまでの間の屈折箇所を１箇所のみにすることができる。そして、この屈折箇所の辺りの短い区間のみ、フレキシブルロッド３７が用いられている。
【００５４】
以上のような構成により、モータ３２の回転軸からブラシ２１までの駆動力の伝達効率を、胴体部と口腔内挿入部が真直ぐになるように構成された一般的な電動歯ブラシに比べて低下してしまうことを抑制できる。
【００５５】
また、駆動源となるモータ３２が接続部１２の内部に設けられるため、モータ３２の振動が、手で握る胴体部１１に伝わることを抑制できる。従って、歯磨きを行っている際の不快感を軽減できる。
【００５６】
また、本実施例に係る電動歯ブラシ１００においては、接続部１２におけるブラシ２１側の面の一部を含む領域に表示部１３が設けられている。
【００５７】
これにより、図６及び図７から分かるように、歯磨き中において、ユーザの顔に対して、向き合う位置に表示部１３を位置させることができる。これにより、歯磨き中においても、表示部１３が視認可能となる。
【００５８】
更に、本実施例に係る電動歯ブラシ１００においては、操作部１４のうちオンスイッチボタン１４ａは接続部１２に設けられ、オフスイッチボタン１４ｂは胴体部１１に設けられている。従って、ユーザはこれらのボタンを区別し易く、電源をオン又はオフする際の操作を簡単に行うことができる。
【００５９】
（実施例２）
図１６及び図１７には、本発明の実施例２が示されている。本実施例２においては、胴体部と口腔内挿入部（ブラシ部品）とを接続する接続部が湾曲した構成で、偏心軸自体が可撓性を有する場合の構成を示す。その他の基本的な構成および作用については実施例１と同一なので、同一の構成部分については同一の符号を付して、その説明は適宜省略する。
【００６０】
図１６は本発明の実施例２に係る電動歯ブラシの側面図である。図１７は本発明の実施例２に係る電動歯ブラシの内部の主要構成を示す概略図（透視図）である。
【００６１】
本実施例に係る電動歯ブラシ１００ａにおいても、内部に駆動源を備えるケース１０ａと、ケース１０ａに対して着脱自在に設けられるブラシ部品２０ａとを備えている。
【００６２】
ブラシ部品２０ａは歯磨き時に口腔内に挿入される部分であり、口腔内挿入部に相当する。また、ブラシ部品２０ａの先端には、ブラシ２１ａが設けられている。
【００６３】
そして、本実施例におけるケース１０ａは、略円筒状の部分と、この略円筒状の先端部分１６ａから折れ曲がって設けられた湾曲部分とを備えている。そして、ケース１０ａのうち略円筒状の部分は、歯磨き時に手で握られる部分である。以下、この略円筒状の歯磨き時に手で握られる部分を胴体部１１ａと称する。また、ケース１０ａのうち湾曲部分は、胴体部１１ａと口腔内挿入部であるブラシ部品２０ａとを接続する部分である。以下、この湾曲部分を接続部１２ａと称する。この接続部１２ａにおけるブラシ２１ａ側の面の一部を含む領域に、表示部１３ａが設けられている。また、本実施例においても、表示部１３ａに隣接して操作部１７が設けられており、オンスイッチボタン１７ａは接続部１２ａに設けられ、オフスイッチボタン１７ｂは胴体部１１ａに設けられている。
【００６４】
そして、本実施例に係る電動歯ブラシ１００ａにおいても、上記の通り、胴体部１１ａは略円筒状であり、胴体部１１ａにおける長手方向に垂直な断面形状の図心を結んでできる仮想線は略直線となる。図１６中、一点鎖線Ｔ１は、当該仮想線及びその延長線を含む線である。また、口腔内挿入部であるブラシ部品２０ａのうちブラシ２１ａを除く部分の形状は略円錐台である。この部分における長手方向に垂直な断面形状の図心を結んでできる仮想線も略直線となる。図１６中、一点鎖線Ｔ２は、当該仮想線及びその延長線を含む線である。
【００６５】
以上の一点鎖線Ｔ１，Ｔ２の関係から分かるように、まず、ブラシ部品２０ａは、先端から胴体部１１ａ側に向かうにつれてブラシ２１ａの背面側に向かって傾斜するように構成されている。なお、本実施例においても、ブラシ部品２０ａは、その後端が胴体部１１ａよりも背面側に突出する位置まで伸びるように構成されている。また、ブラシ部品２０ａの先端部は、胴体部１１ａにおける長手方向に垂直な断面形状の図心を結んでできる仮想線の延長線（一点鎖線Ｔ１）上付近に位置する。
【００６６】
また、本実施例においても、直線的か曲線的かで実施例１との違いはあるものの、接続部１２ａは、胴体部１１ａの先端からブラシ２１ａ側に向かうにつれてブラシ２１の背面側に向かって傾斜するように構成される。
【００６７】
また、本実施例においても、ケース１０ａの先端側には、ブラシ部品２０の内部に、重心が軸心からずれた位置にある錘３６ａを有する偏心軸３５ａが設けられている。
【００６８】
そして、本実施例においては、偏心軸３５ａ自体が可撓性を有している（つまりフレキシブルロッドによって構成されている）。また、モータ３２の回転軸と、偏心軸３５ａが直接連結されている。
【００６９】
以上の構成により、本実施例に係る電動歯ブラシ１００ａの場合にも、上記実施例１に係る電動歯ブラシ１００の場合と同様の効果がある。ただし、本実施例に係る電動歯ブラシ１００ａの場合には、偏心軸３５ａ自体が可撓性を有しており、フレキシブルロッドが設けられている区間が実施例１の場合に比べて長くなっている。そのため、駆動力の伝達
効率については、実施例１の場合に比べて劣ってしまう。しかしながら、偏心軸３５ａ自体をフレキシブルロッドにより構成したことで、実施例１の場合に比べて部品点数を減らすことができる。
【図面の簡単な説明】
【００７０】
【図１】図１は本発明の実施例１に係る電動歯ブラシの正面図である。
【図２】図２は本発明の実施例１に係る電動歯ブラシの側面図である。
【図３】図３は本発明の実施例１に係る電動歯ブラシの正面側から見た斜視図である。
【図４】図４は本発明の実施例１に係る電動歯ブラシの背面側から見た斜視図である。
【図５】図５は本発明の実施例１に係る電動歯ブラシの内部の主要構成を示す概略図（透視図）である。
【図６】図６はブラシ面を左奥歯に当てた際（適切に当てた際）における本発明の実施例１に係る電動歯ブラシと比較例に係る電動歯ブラシの位置を比較した図である。
【図７】図７はブラシ面を右奥歯に当てた際（適切に当てた際）における本発明の実施例１に係る電動歯ブラシと比較例に係る電動歯ブラシの位置を比較した図である。
【図８】図８は本発明の実施例１に係る電動歯ブラシを用いて歯を磨いている様子を示す概略図である。
【図９】図９は本発明の実施例１に係る電動歯ブラシを用いて歯を磨いている様子を示す概略図である。
【図１０】図１０は本発明の実施例１に係る電動歯ブラシを用いて歯を磨いている様子を示す概略図である。
【図１１】図１１は本発明の実施例１に係る電動歯ブラシを用いて歯を磨いている様子を示す概略図である。
【図１２】図１２は比較例に係る電動歯ブラシを用いて歯を磨いている様子を示す概略図である。
【図１３】図１３は比較例に係る電動歯ブラシを用いて歯を磨いている様子を示す概略図である。
【図１４】図１４は比較例に係る電動歯ブラシを用いて歯を磨いている様子を示す概略図である。
【図１５】図１５は比較例に係る電動歯ブラシを用いて歯を磨いている様子を示す概略図である。
【図１６】図１６は本発明の実施例２に係る電動歯ブラシの側面図である。
【図１７】図１７は本発明の実施例２に係る電動歯ブラシの内部の主要構成を示す概略図（透視図）である。
【符号の説明】
【００７１】
１０，１０ａ  ケース
１１，１１ａ  胴体部
１２，１２ａ  接続部
１３，１３ａ  表示部
１４  操作部
１４ａ  オンスイッチボタン
１４ｂ  オフスイッチボタン
１５  ステム
１６，１６ａ  先端部分
１７  操作部
１７ａ  オンスイッチボタン
１７ｂ  オフスイッチボタン
２０，２０ａ  ブラシ部品
２１，２１ａ  ブラシ
３１  電池
３２  モータ
３３，３４  回路基板
３５，３５ａ  偏心軸
３６，３６ａ  錘
３７  フレキシブルロッド
３８  接続端子
１００，１００ａ  電動歯ブラシ
【図１】
0005292913.tif 000002
【図２】
0005292913.tif 000003
【図３】
0005292913.tif 000004
【図４】
0005292913.tif 000005
【図５】
0005292913.tif 000006
【図６】
0005292913.tif 000007
【図７】
0005292913.tif 000008
【図８】
0005292913.tif 000009
【図９】
0005292913.tif 000010
【図１０】
0005292913.tif 000011
【図１１】
0005292913.tif 000012
【図１２】
0005292913.tif 000013
【図１３】
0005292913.tif 000014
【図１４】
0005292913.tif 000015
【図１５】
0005292913.tif 000016
【図１６】
0005292913.tif 000017
【図１７】
0005292913.tif 000018